(57)【要約】【課題】従来、稲作において有効成分の投与は直接散布であるため、大量散布する必要があった。米の収穫量を増加させるために、水稲の育苗期において細孔を利用して生理活性物質を適宜、必要量与えることで、収穫期までの成長を容易にする。【解決手段】平均分子量が３０００〜５００００のキトサンまたはキトサンオリゴ糖を含浸した加熱処理珪藻土粉粒体を、幅２０ｃｍ長さ５０ｃｍの農業用育苗マットに１００〜５００ｇ内包することにより、育苗期におけるわい化と移植後の成長期におけるケイ素供給によって収穫量を増加させる。【特許請求の範囲】
【請求項１】
キトサンまたはキトサンオリゴ糖を含浸させた加熱処理珪藻土を含んだ農業用育苗マットで、これを使用することで苗がわい化し丈夫になることを特徴とする。
【請求項２】
請求項１の農業用育苗マットを使用することで加熱処理珪藻土中のケイ素により土壌中の可溶性ケイ素が増加し、成長期での農作物の成長を増進させ、収穫期での収量を増加させることを特徴とする。
【発明の詳細な説明】
【技術分野】
【０００１】  本発明は、水稲栽培等に用いる軽量苗床マットに、育苗期に必要な活性成分を加えた農業用育苗マットに関する。
【背景技術】
【０００２】  農業生産力の低下は、農業人口の減少と高齢化、土壌活力の低下、生産物の価格競争激化に起因する。よって省力的な土壌改質による生産力向上は価格競争力増強につながる。土壌改質には保水性向上と生物活性付加があり、従来では高価なシリカゲルなどの化学物質散布や、ホルモン剤の大量散布などにより行われてきた。【０００３】  特に、生産性、作業性向上にために育苗時の成長を抑制する（わい化）には、イナベンフィドなどを主成分とする成長ホルモン調整農薬の使用が一般的である。しかし、土壌や収穫物への残存が危惧される。これに変わり、天然由来物質による生理活性および成長調整剤として水溶性キトサン（特許文献１参照）があるが、散布後の流出が早い難点があるため、吸着材との併用（特許文献２参照）などの供給方法の開発が必要である。
【特許文献１】特開平１１−１９６７６５号公報
【特許文献２】特開平５−２３０４６０号公報
【発明の開示】
【発明が解決しようとする課題】
【０００４】  本発明において解決すべき課題は、わい化を実現する生理活性物質であるキトサンと成長を助けるケイ素を、最も吸収効果の高い育苗時に効率的に供給するために、細孔を多く有する珪藻土由来の多孔体セラミックスに天然由来の生理活性物質キトサンを含浸させた粉粒体を含んだ育苗用マットを用いて、土壌中に生理活性物質を適当量保持させ、土壌への効率的な活性物質供給を実現させようとするものである。
【課題を解決するための手段】
【０００５】  本発明の製造方法は、キトサン水溶液に乾燥した珪藻土粒を添加することで、吸水体である珪藻土がキトサンを内部に含浸させ、後に加熱脱水する事でキトサンのみを保持した珪藻土粒を作製する。この珪藻土粒をグラスウール等からなる育苗マットに保持させることで上記課題を解決した。
【発明の効果】
【０００６】  珪藻土粒を１００〜８００℃までで熱処理を行うことで比表面積が３０〜４０ｍ２／ｇで安定する。これによって細孔容量が増加し、珪藻土中のキトサン保持量が増加する。この効果は、土壌中において細孔からの遅い溶出挙動をもたらし、土壌中へのキトサン溶出期間を増加させる。【０００７】  また、育苗マット中の珪藻土から溶出したキトサンは、生育段階の苗に吸収され、丈方向への成長を抑制するわい化効果を発現する。わい化効果により苗は倒伏しにくくなり、移植の際の器具使用すなわち機械力導入を可能にする。【０００８】  苗とともに移植されたマット中の珪藻土から非晶質シリカが溶出し、成長期から収穫期において苗の成長を促進させ、収穫期において倒伏しにくい茎の成長を促す。【０００９】  よってキトサンの生理活性効果および珪藻土のキトサン溶出制御とシリカ溶出によって水稲の成長を促進させ収穫量の増加をもたらす。
【発明を実施するための最良の形態】
【００１０】  本発明の育苗マットで用いる珪藻土粉粒体とは、粒径が５μｍ〜２ｍｍの粉末または造粒体で、１００〜８００℃で乾燥または熱処理したものである。【００１１】  珪藻土は非晶質シリカを主成分とし、ＳｉＯ２の含有量が６５〜８５重量％含むものである。主にろ過助剤として用いられており、本発明においては、珪藻土の特徴である多孔性を要求することから、比表面積として２０〜５０ｍ２／ｇのものを用いることが望ましい。【００１２】  本発明で使用される生理活性物質としてのキトサンには分子量３０００〜５００００の水溶性キトサンもしくはキトサンオリゴ糖が用いられる。また、キチン−キトサン−キトサンオリゴ糖複合体も対象となる。【００１３】  マット材としての不織繊維は土壌中で細分化または分解することが望ましい。よって、材質としてはケイ酸質のものの他、セルロースを主成分とする紙製マット、土壌中で分解可能な生分解製不織布も使用可能である。
【実施例１】
【００１４】  ５重量％のキトサン水溶液中に、１００℃で熱処理した１〜１．５ｍｍの１００℃乾燥の珪藻土粒２０ｋｇを室温にて投入して、十分に水溶液を吸収させた後、乾燥器にて１００℃、８時間乾燥を行い、１．５重量％のキトサンを含浸した珪藻土粒を得た。このキトサン含浸珪藻土粒と一般的な焼成した珪藻土粒をｐＨ５．２の緩衝溶液１００ｍｌにそれぞれ２ｇ、室温にて浸漬し、浸漬液中の溶存シリカ量をモリブデン酸青吸光光度分析法により測定した。図１に浸漬時間と溶存シリカ濃度の関係を示す。焼成品では、１２０時間経過で９ｐｐｍしか溶出しなかった。しかし、キトサン珪藻土では、１２０時間で３２ｐｐｍの溶出があり、焼成品の約３．５倍のシリカ溶出能力があった。これより、シリカ供給源としてキトサン珪藻土は焼成珪藻土や同様の珪石類よりも高いシリカ供給性能を有する。
【実施例２】
【００１４】  このキトサン珪藻土粒２００ｇを厚さ８ｍｍ、２０×５０ｃｍのグラスウール繊維マット上に酢酸系高分子溶剤に偏り無く固定し、さらにもう１枚のマットで挟み、キトサン含浸珪藻土含有育苗マット（以下キトサン珪藻土マット）を作製した。育苗試験は、この育苗マットを用いて行った。作物にはイネ（朝日米）を用いた。育苗箱に珪藻土マットを敷き詰め、イネの種籾を播種、育苗用培土で覆土した後、出芽器内で出芽させ発芽調査および育成調査を行った。育苗期（播種後２週間）における苗丈の影響を図２に示す。キトサン珪藻土マットにより苗丈が未加工マットよりも１１ｍｍ比率にして１２％短くなる、即ちわい化した。【００１５】得られた苗をマットごと水田へ移植した。キトサン珪藻土マットによる水田を試験区、未加工マットによる水田を慣行区とした。水田育成の条件は施肥を２５〜３０ｋｇ・１０−３ｍ−２、栽植密度を２０×３０ｃｍ／ｌ苗で行った。試験区、慣行区ともに各３０００ｍ２の作付面積であり、試験区においては苗とともに水田ヘキトサン珪藻土が６．５ｇ／ｍ２導入された。収穫期における試験区、慣行区での稲の草丈の長さを図３に示す。移植時にあった１２％の草丈長差は、この時点で逆に試験区の方が慣行区よりも平均２％高くなった。さらに、一株当たりの最高分げつ数（図４）、穂数（図５）、玄米収量（図６）では、それぞれ試験区の方が２５％、２０％、２０％増加した。
【図面の簡単な説明】
【００１６】
【図１】  珪藻土粒における浸漬時間と溶存シリカ濃度の関係図
【図２】  育苗期における苗丈長さの比較図
【図３】  収穫期における試験区、慣行区での稲の草丈長さの比較図
【図４】  一株当たりの最高分げつ数の比較図
【図５】  一株当たりの穂数の比較図
【図６】  単位面積あたりの玄米収量の比較図
【図１】
2006020617.tif 000002
【図２】
2006020617.tif 000003
【図３】
2006020617.tif 000004
【図４】
2006020617.tif 000005
【図５】
2006020617.tif 000006
【図６】
2006020617.tif 000007